(57)【要約】【課題】コンパクトな構成で装置を大型化させることなく、コンタクトガラスに付着した汚れを除去して、出力画像の品位向上を図った原稿読取り装置を提供する。【解決手段】原稿への照射光及びその反射光を透過するコンタクトガラス１０２ａ１の汚れを除去するクリーニング機構１１０を備えた原稿読取り装置１０１において、クリーニング機構１１０として、コンタクトガラス１０２ａ１近傍にプラテンローラ１１１とクリーニングローラ１１２を備え、プラテンローラ１１１またはクリーニングローラ１１２の何れか一方を選択的に駆動するプラテン部モータ１２０と、プラテンローラ１１１またはクリーニングローラ１１２のうちの何れか一方にプラテン部モータ１２０からの駆動力を伝達するよう切換える切換手段１３０と、プラテン部モータ１２０と切換手段１３０の動作を制御する制御手段１４０を備えることを特徴とする。【選択図】図３
2009062125.tif 000002
【特許請求の範囲】
【請求項１】
原稿を読取る原稿読取り位置で原稿に光を照射してその反射光により原稿の画像情報を読取る画像読取部と、前記原稿読取り位置に配置されてその原稿読取り位置を通過する原稿への照射光及びその反射光を透過するコンタクトガラスと、本装置内に導入された原稿を搬送する搬送ローラと、前記コンタクトガラス上の汚れを除去するクリーニング機構を備え、前記コンタクトガラス上を通過する原稿の画像情報を読取る原稿読取り装置において、
前記クリーニング機構の構成として、
前記コンタクトガラス近傍に原稿を搬送するコンタクトガラス側搬送ローラと前記コンタクトガラスの原稿が通過する面を清掃するクリーニング部材とを備え、さらに、
前記コンタクトガラス側搬送ローラとクリーニング部材のうちの何れか一方を選択的に駆動する駆動手段と、前記コンタクトガラス側搬送ローラとクリーニング部材のうちの何れか一方に前記駆動手段からの駆動力を伝達するよう切換える切換手段と、
前記駆動手段の駆動を制御する機能と前記切換手段の動作を制御する機能を有する制御手段と、
を備えることを特徴とする原稿読取り装置。
【請求項２】
前記切換手段は、前記コンタクトガラス側搬送ローラとクリーニング部材とを支持する支持手段と、前記支持手段の姿勢を変更する姿勢変更手段と、
を備えることを特徴とする請求項１に記載の原稿読取り装置。
【請求項３】
前記制御手段は、原稿を搬送する前に前記クリーニング部材による清掃動作を行うように制御することを特徴とする請求項１または２に記載の原稿読取り装置。
【請求項４】
前記制御手段は、原稿を搬送している間で前記コンタクトガラスに到達する前に前記クリーニング部材による清掃動作を行うように制御することを特徴とする請求項１または２に記載の原稿読取り装置。
【請求項５】
前記制御手段は、原稿搬送終了後に前記クリーニング部材による清掃動作を行うように制御することを特徴とする請求項１または２に記載の原稿読取り装置。
【請求項６】
前記制御手段は、前記クリーニング部材による清掃動作を行った後に前記コンタクトガラスに汚れを検出した時、原稿を搬送する動作を中断して、前記クリーニング部材による清掃動作を行うことを特徴とする請求項４に記載の原稿読取り装置。
【請求項７】
前記クリーニング部材は、ブラシ部材を用いたローラ体とすることを特徴とする請求項１乃至６のうちの何れか一項に記載の原稿読取り装置。
【請求項８】
前記クリーニング部材は、発泡部材を用いたローラ体とすることを特徴とする請求項１乃至６のうちの何れか一項に記載の原稿読取り装置。
【請求項９】
前記クリーニング部材は、前記コンタクトガラス側搬送ローラに接触するように配置されることを特徴とする請求項１乃至８のうちの何れか一項に記載の原稿読取り装置。
【請求項１０】
前記クリーニング機構の構成として、前記クリーニング部材に付着した汚れを回収する回収手段を備えることを特徴とする請求項１乃至９のうちの何れか一項に記載の原稿読取り装置。
【発明の詳細な説明】
【技術分野】
【０００１】
本発明は、原稿読取り装置に係り、特に、コンタクトガラス上を通過する原稿の画像情報を読取る原稿読取り装置に関する。
【背景技術】
【０００２】
従来、電子写真方式を用いたプリンタ等の画像形成装置では、原稿読取り装置を搭載して、複数枚の原稿を載置可能にして自動的に原稿を搬送し、読取りを行う原稿読取り装置を搭載したものが多く用いられている。
【０００３】
このように構成された原稿読取り装置において、走査光学系を原稿を読取る原稿読取り位置に固定した状態で原稿を搬送しつつ読取りを行う、いわゆる「流し読み」を行う自動原稿搬送読取装置が知られている。このような方式により、原稿を連続的に高速に読み取ることが可能となる。
【０００４】
しかしながら、従来の方式では、通過する原稿を読取る原稿読取り位置に設けられたコンタクトガラス（読取りガラス）が配置されており、このコンタクトガラスが汚れると原稿の画像情報とともに汚れも画像情報として読取られるため、記録媒体に画像情報が出力される際には、副走査方向に沿った黒スジとなって出力されるという不具合が生じる。
【０００５】
そこで、この問題を解決すべく従来技術として、コンタクトガラスを清掃する回転ブラシ等のクリーニング部材を備えて、このクリーニング部材によって読取りガラスに付着した汚れを除去するようにした自動原稿読取り搬送装置が開示されている（特許文献１を参照）。
【特許文献１】特開平１１−１８４１７４号公報
【発明の開示】
【発明が解決しようとする課題】
【０００６】
しかしながら、上述した従来技術によると、クリーニング部材やこれを駆動する駆動手段を備えたクリーニング機構を構成することにより部品点数が増大し、装置を大型化させる要因となるという問題が生じる。
【０００７】
本発明は、上記従来の問題点に鑑みてなされたものであって、コンパクトな構成で装置を大型化させることなく、コンタクトガラスに付着した汚れを除去して、出力画像の品位向上を図った原稿読取り装置を提供することを目的とする。
【課題を解決するための手段】
【０００８】
上述した課題を解決するための本発明に係る原稿読取り装置の構成は次の通りである。
請求項１に記載した原稿読取り装置は、原稿を読取る原稿読取り位置で原稿に光を照射してその反射光により原稿の画像情報を読取る画像読取部と、前記原稿読取り位置に配置されてその原稿読取り位置を通過する原稿への照射光及びその反射光を透過するコンタクトガラスと、本装置内に導入された原稿を搬送する搬送ローラと、前記コンタクトガラス上の汚れを除去するクリーニング機構を備え、前記コンタクトガラス上を通過する原稿の画像情報を読取る原稿読取り装置において、前記クリーニング機構の構成として、前記コンタクトガラス近傍に原稿を搬送するコンタクトガラス側搬送ローラと前記コンタクトガラスの原稿が通過する面を清掃するクリーニング部材とを備え、さらに、前記コンタクトガラス側搬送ローラとクリーニング部材のうちの何れか一方を選択的に駆動する駆動手段と、前記コンタクトガラス側搬送ローラとクリーニング部材のうちの何れか一方に前記駆動手段からの駆動力を伝達するよう切換える切換手段と、前記駆動手段の駆動を制御する機能と前記切換手段の動作を制御する機能を有する制御手段とを備えることを特徴とするものである。
【０００９】
請求項２に記載した原稿読取り装置は、請求項１に記載した構成に加えて、前記切換手段の構成として、前記コンタクトガラス側搬送ローラとクリーニング部材とを支持する支持手段と、前記支持手段の姿勢を変更する姿勢変更手段とを備えることを特徴とするものである。
【００１０】
請求項３に記載した原稿読取り装置は、請求項１または２に記載した構成に加えて、前記制御手段により、原稿を搬送する前に前記クリーニング部材による清掃動作を行うように制御することを特徴とするものである。
【００１１】
請求項４に記載した原稿読取り装置は、請求項１または２に記載した構成に加えて、前記制御手段により、原稿を搬送している間で前記コンタクトガラスに到達する前に前記クリーニング部材による清掃動作を行うように制御することを特徴とするものである。
【００１２】
請求項５に記載した原稿読取り装置は、請求項１または２に記載した構成に加えて、前記制御手段により、原稿搬送終了後に前記クリーニング部材による清掃動作を行うように制御することを特徴とするものである。
【００１３】
請求項６に記載した原稿読取り装置は、請求項４に記載した構成に加えて、前記制御手段により、前記クリーニング部材による清掃動作を行った後に前記コンタクトガラスに汚れを検出した時、原稿を搬送する動作を中断して、前記クリーニング部材による清掃動作を行うことを特徴とするものである。
【００１４】
請求項７に記載した原稿読取り装置は、請求項１乃至６のうちの何れか一項に記載した構成に加えて、前記クリーニング部材として、ブラシ部材を用いたローラ体とすることを特徴とするものである。
【００１５】
請求項８に記載した原稿読取り装置は、請求項１乃至６のうちの何れか一項に記載した構成に加えて、前記クリーニング部材として、発泡部材を用いたローラ体とすることを特徴とするものである。
【００１６】
請求項９に記載した原稿読取り装置は、請求項１乃至８のうちの何れか一項に記載した構成に加えて、前記クリーニング部材を、前記コンタクトガラス側搬送ローラに接触するように配置することを特徴とするものである。
【００１７】
請求項１０に記載した原稿読取り装置は、請求項１乃至９のうちの何れか一項に記載した構成に加えて、前記クリーニング機構の構成として、前記クリーニング部材に付着した汚れを回収する回収手段を備えることを特徴とするものである。
【発明の効果】
【００１８】
請求項１に記載した発明によれば、原稿を読取る原稿読取り位置で原稿に光を照射してその反射光により原稿の画像情報を読取る画像読取部と、前記原稿読取り位置に配置されてその原稿読取り位置を通過する原稿への照射光及びその反射光を透過するコンタクトガラスと、本装置内に導入された原稿を搬送する搬送ローラと、前記コンタクトガラス上の汚れを除去するクリーニング機構を備え、前記コンタクトガラス上を通過する原稿の画像情報を読取る原稿読取り装置において、前記クリーニング機構の構成として、前記コンタクトガラス近傍に原稿を搬送するコンタクトガラス側搬送ローラと前記コンタクトガラスの原稿が通過する面を清掃するクリーニング部材とを備え、さらに、前記コンタクトガラス側搬送ローラとクリーニング部材のうちの何れか一方を選択的に駆動する駆動手段と、前記コンタクトガラス側搬送ローラとクリーニング部材のうちの何れか一方に前記駆動手段からの駆動力を伝達するよう切換える切換手段と、前記駆動手段の駆動を制御する機能と前記切換手段の動作を制御する機能を有する制御手段とを備えることで、コンパクトな構成で装置を大型化させることなく、コンタクトガラスに付着した汚れを除去することができる原稿読取り装置を提供することができる。
【００１９】
また、請求項１〜１０に記載の発明で得られる上記共通の効果に加え、各請求項に記載の発明によれば次の効果を得ることができる。
【００２０】
詳しくは、請求項２に記載した発明によれば、請求項１に記載した発明で得られる効果に加えて、前記切換手段の構成として、前記コンタクトガラス側搬送ローラとクリーニング部材とを支持する支持手段と、前記支持手段の姿勢を変更する姿勢変更手段とを備えることで、例えば、前記支持手段によって、コンタクトガラス側搬送ローラが原稿を搬送可能な状態の時は、前記クリーニング部材がコンタクトガラスから離間した状態とし、一方、コンタクトガラス側搬送ローラが原稿を搬送しない状態の時は、前記クリーニング部材がコンタクトガラスに当接して清掃可能な状態とすることで、前記姿勢変更手段により前記支持手段の姿勢を変更させることで、原稿を搬送可能な状態、またはコンタクトガラスを清掃可能な状態に簡単に切換えることができる。
【００２１】
請求項３に記載した発明によれば、請求項１または２に記載した発明で得られる効果に加えて、前記制御手段により、原稿を搬送する前に前記クリーニング部材による清掃動作を行うように制御することで、例えば、装置運転を開始した時に、原稿がコンタクトガラス上を通過する前に確実にコンタクトガラスをクリーニングすることができる。
【００２２】
請求項４に記載した発明によれば、請求項１または２に記載した発明で得られる効果に加えて、前記制御手段により、原稿を搬送している間で前記コンタクトガラスに到達する前に前記クリーニング部材による清掃動作を行うように制御することで、原稿がコンタクトガラス上を通過する前に確実にコンタクトガラスをクリーニングすることができ、特に、原稿を連続的に読取る際に効果的である。
【００２３】
請求項５に記載した発明によれば、請求項１または２に記載した発明で得られる効果に加えて、前記制御手段により、原稿搬送終了後に前記クリーニング部材による清掃動作を行うように制御することで、読取り操作を行った後のコンタクトガラスを常に綺麗な状態にして汚れが固着化すること防止できる。
【００２４】
請求項６に記載した発明によれば、請求項４に記載した発明で得られる効果に加えて、前記制御手段により、前記クリーニング部材による清掃動作を行った後に前記コンタクトガラスに汚れを検出した時、原稿を搬送する動作を中断して、前記クリーニング部材による清掃動作を行うことで、確実にコンタクトガラスを綺麗にした状態で原稿読取りを行うことができる。
【００２５】
請求項７に記載した発明によれば、請求項１乃至６のうちの何れか一項に記載した発明で得られる効果に加えて、前記クリーニング部材として、ブラシ部材を用いたローラ体とすることで、簡単な構成でコンタクトガラス上の汚れを除去することができる。
【００２６】
請求項８に記載した発明によれば、請求項１乃至６のうちの何れか一項に記載した発明で得られる効果に加えて、前記クリーニング部材として、発泡部材を用いたローラ体とすることで、コンタクトガラス面が傷つくことを抑制することができる。
【００２７】
請求項９に記載した発明によれば、請求項１乃至８のうちの何れか一項に記載した発明で得られる効果に加えて、前記クリーニング部材を、前記コンタクトガラス側搬送ローラに接触するように配置することで、コンタクトガラスとともにクリーニング部材の表面の汚れを除去することができる。
【００２８】
請求項１０に記載した発明によれば、請求項１乃至９のうちの何れか一項に記載した発明で得られる効果に加えて、前記クリーニング機構の構成として、前記クリーニング部材に付着した汚れを回収する回収手段を備えることで、前記クリーニング部材に汚れが蓄積されることがないので、クリーニング部材により除去された汚れが再びコンタクトガラスへ移ることを抑制できるとともに、クリーニング部材によるクリーニング効果を長期に渡り維持できる。
【発明を実施するための最良の形態】
【００２９】
以下、本発明の実施の形態について図面を参照して詳細に説明する。
図１は本発明に係る原稿読取り装置が採用された画像形成装置の全体の構成を示す説明図、図２は本実施形態に係る画像形成装置に搭載された原稿読取り装置の全体の構成を示す説明図である。
【００３０】
本実施形態に係る画像形成装置１００は、図１，図２に示すように、スキャナ等に読み込まれた画像データや外部から伝達された画像データを電子写真方式によって、記録媒体となる所定のシート状の記録用紙（以下、用紙と称する。）にモノクロ画像として出力形成するものであって、原稿を複数枚収納可能な原稿トレイ１１から供給される原稿を装置内に導入するピックアップローラ６４と，原稿を搬送する給送ローラ６５と，重送された原稿を分離するサバキローラ６６と、原稿トレイ１１から装置内に導入された原稿を搬送する原稿搬送路Ｈ１（図２を参照）と、原稿搬送路Ｈ１内に導入された原稿を搬送する搬送ローラＲ（Ｒ１〜Ｒ６）とを備えて、原稿読取り位置Ｓに原稿を自動的に搬送する原稿搬送部１０１ａを具備する原稿読取り装置１０１が搭載された画像形成装置１００において、原稿読取り位置Ｓに設けられたコンタクトガラス１０２ａ１上の汚れを除去するクリーニング機構１１０を備えたものであって、原稿読取り装置として、本発明に係る特徴的なクリーニング機構を備えた原稿読取り装置１０１を採用したものである。
【００３１】
まず、本実施形態に係る画像形成装置１００の全体構成について図面を参照して説明する。
【００３２】
画像形成装置１００は、図１に示すように、主に、感光体ドラム２１と、感光体ドラム２１表面を帯電させるための帯電器２２と、感光体ドラム２１上に静電潜像を形成するための露光装置としての光書込ユニット２３と、前記静電潜像を現像剤によって現像して感光体ドラム２１上にトナー像を形成するための現像器２４と、感光体ドラム２１上のトナー像をシート部材、例えば、記録用紙やＯＨＰ等のシート状の記録媒体に転写する転写ユニット２５と、シート上の転写画像を該シートに定着するための定着ユニット２７と、転写ユニット２５によって転写されずに感光体ドラム２１表面に残った残留トナーを除去するためのクリーニングユニット２６と、感光体ドラム２１表面に残った残留電荷を除電するための除電装置（図示省略）とを備えている。
【００３３】
詳しくは、この画像形成装置１００は、原稿から読取られた画像データを取得したり、或いは、外部から受信した画像データを取得し、この画像データによって示されるモノクロ画像をシートに形成するものであり、その構成を大別すると、主に原稿搬送部（ＡＤＦ）１０１ａと画像読取部１０２とにより構成される原稿読取り装置１０１、画像形成部１０３、シート搬送部１０４、及び給紙部１０５からなる。
【００３４】
原稿読取り装置１０１は、複数枚原稿が積載される原稿トレイ１１、画像情報の読取済の原稿が積層して排出される排紙トレイ１２を備え、画像形成装置１００上部において、上方に向かい回動して開閉自在に設けられている。
【００３５】
原稿搬送部１０１ａは、図２に示すように、原稿が原稿トレイ１１にセットされると、最上位のシートをピックアップするピックアップローラ６４、シートを分離して給紙するローラとして給送ローラ６５及びサバキローラ６６により、原稿を１枚ずつ原稿トレイ１１から引き出して搬送し、この原稿を画像読取部１０２の原稿読取り窓１０２ａに設けられたコンタクトガラス１０２ａ１上に導いて通過させた後に、この原稿を排紙トレイ１２に排出するようにされている。
【００３６】
画像読取部１０２は、原稿がコンタクトガラス１０２ａ１上を通過する際に、第１走査ユニット１５のランプ１５ａによって原稿表面を露光し、第１走査ユニット１５の第１ミラー１５ｂ及び第２走査ユニット１６の２・３ミラー１６ａによって原稿表面からの反射光を結像レンズ１７へと導き、結像レンズ１７によって原稿表面の画像をＣＣＤ（Charge Coupled Device）１８上に結像する。ＣＣＤ１８は、原稿表面の画像を主走査方向に繰り返し読取り、原稿表面の画像を示す画像データを出力するようにされている。
【００３７】
一方、原稿が画像読取部１０２上面のプラテンガラス１０２ｂ上に置かれた場合は、第１走査ユニット１５及び第２走査ユニット１６を相互に所定の速度関係を維持しつつ移動させ、第１走査ユニット１５によってプラテンガラス１０２ｂ上の原稿表面を露光し、第１走査ユニット１５及び第２走査ユニット１６によって原稿表面からの反射光を結像レンズ１７へと導き、結像レンズ１７によって原稿表面の画像をＣＣＤ１８上に結像する。
【００３８】
ＣＩＳ１３もしくはＣＣＤ１８から出力された画像データは、マイクロコンピュータ等を含む制御部により各種の画像処理を施されてから、画像形成部１０３に出力される。
【００３９】
画像形成部１０３は、図１に示すように、画像データによって示される原稿画像をシートに記録するものであって、感光体ドラム２１、帯電器２２、光書込みユニット２３、現像器２４、転写ユニット２５、クリーニングユニット２６、及び定着ユニット２７等を備えている。
【００４０】
感光体ドラム２１は、円筒状を呈し、光書込みユニット２３の下方に配設され、図示しない駆動手段と制御手段により所定方向（図中矢印Ａ方向）に回転するように制御されている。感光体ドラム２１が回転することにより外周面が移動し、その表面がクリーニングユニット２６によりクリーニングされ、該クリーニングされた表面を帯電器２２により均一に帯電される。帯電器２２は、チャージャー型のものであっても、感光体ドラム２１に接触するローラ型やブラシ型のものであっても良い。
【００４１】
光書込みユニット２３は、２つのレーザ照射部２８ａ，２８ｂ、及び２つのミラー群２９ａ，２９ｂを備えるレーザスキャニングユニット（ＬＳＵ）である。この光書込みユニット２３では、画像データを入力して、この画像データに応じたレーザ光を各レーザ照射部２８ａ，２８ｂからそれぞれ出射し、これらのレーザ光を各ミラー群２９ａ，２９ｂを介して感光体ドラム２１に照射して、均一に帯電された感光体ドラム２１表面を露光し、感光体ドラム２１表面に静電潜像を形成する。この光書込みユニット２３は、高速画像形成処理に対応するために２つのレーザ照射部２８ａ，２８ｂを備えた２ビーム方式を採用して、照射タイミングの高速化に伴う負担を軽減している。
【００４２】
尚、光書込ユニット２３として、レーザスキャニングユニットの代わりに、発光素子をアレイ状に並べたＥＬ書き込みヘッドやＬＥＤ書き込みヘッドを用いるものであってもよい。
【００４３】
現像器２４は、トナーを感光体ドラム２１表面に供給して、静電潜像を現像し、トナー像を感光体ドラム２１表面に形成する。転写ユニット２５は、感光体ドラム２１表面のトナー像をシート搬送部１０４により搬送されてきたシートに転写する。定着ユニット２７は、シートを加熱及び加圧して、シート上のトナー像を定着させる。この後、シートは、シート搬送部１０４により排紙トレイ４７へと更に搬送されて排出される。また、クリーニングユニット２６は、現像、転写後に感光体ドラム２１の表面に残留したトナーを除去して回収する。
【００４４】
転写ユニット２５は、転写ベルト３１、駆動ローラ３２、従動ローラ３３、及び弾性導電性ローラ３４等を備えており、転写ベルト３１を該各ローラ３２〜３４と他のローラに張架して回転させている。転写ベルト３１は、所定の抵抗値（例えば、１×１０９〜１×１０１３Ω／ｃｍ）を有しており、その表面に載せられたシートを搬送する。弾性導電性ローラ３４は、転写ベルト３１を介して感光体ドラム２１表面に押し付けられており、転写ベルト３１上のシートを感光体ドラム２１表面に押し付ける。この弾性導電性ローラ３４には、感光体ドラム２１表面のトナー像の電荷とは逆極性の電界が印加されており、この逆極性の電界により感光体ドラム２１表面のトナー像が転写ベルト３１上のシートに転写される。例えば、トナー像が（−）極性の電荷を有している場合は、弾性導電性ローラ３４に印加されている電界の極性が（＋）極性にされる。
【００４５】
定着ユニット２７は、回転体である一対の定着ローラ（ここでは加熱ローラ３５及び加圧ローラ３６）を備えている。加熱ローラ３５内部には、該加熱ローラ３５表面を所定温度（定着温度：概ね１６０〜２００℃）に設定するための熱源を設けている。また、加熱ローラ３５に対して加圧ローラ３６が所定圧で圧接されるように、加圧ローラ３６の両端に図示しない加圧部材を配置している。加熱ローラ３５と加圧ローラ３６間の圧接部（定着ニップ部と称される）にシートが搬送されて来ると、各ローラ３５，３６によりシートが搬送されつつ、シート上の未定着トナー像が加熱溶融され加圧されて、トナー像がシート上に定着される。
【００４６】
シート搬送部１０４は、最上位のシートをピックアップするピックアップローラ６１、シートを搬送する給送ローラ６２及びシートを分離するサバキローラ６３を備えた用紙搬送装置６０と、シートを搬送するための複数対の搬送ローラ４１、一対のレジストローラ４２、搬送経路４３、反転搬送経路４４、複数の分岐爪４５、及び一対の排紙ローラ４６等を備えている。
【００４７】
搬送経路４３では、シートを給紙部１０５から受け取り、シートの先端がレジストローラ４２に達するまで該シートを搬送する。このときレジストローラ４２を一時的に停止させているので、シートの先端がレジストローラ４２に達して当接し、シートが撓む。この撓んだシートの弾性力により該シートの先端をレジストローラ４２と平行に揃える。この後、レジストローラ４２の回転を開始して、レジストローラ４２によりシートを画像形成部１０３の転写ユニット２５へと搬送し、シート上にトナー像を定着させた後に排紙ローラ４６によりシートを排紙トレイ４７へと搬送する。
【００４８】
レジストローラ４２の停止及び回転は、レジストローラ４２と駆動軸間のクラッチのオン／オフにより切り替えたり、レジストローラ４２の駆動源であるモータのオン／オフにより切り替えてなされる。
【００４９】
また、シートの裏面にも画像を記録する場合は、複数の分岐爪４５を回転させて、搬送経路４３と反転搬送経路４４の分岐路を切り替え、反転搬送経路４４でシートの表裏を反転させてから、シートを、反転搬送経路４４を介して搬送経路４３のレジストローラ４２へと戻す。これにより、シートの裏面にも画像が記録される。
【００５０】
搬送経路４３及び反転搬送経路４４においては、シートの位置等を検出するシート検出センサを各所に配置し、各センサにより検出されたシートの位置に基づいて搬送ローラやレジストローラを駆動制御して、シートの搬送及び位置決めを行っている。
【００５１】
給紙部１０５は、複数の給紙トレイ５１を備えている。各給紙トレイ５１は、シートを蓄積しておくためのトレイであり、画像形成装置１００の下方に設けられている。また、各給紙トレイ５１は、シートを一枚ずつ引き出すためのピックアップローラ等を備えており、引き出したシートをシート搬送部１０４の搬送経路４３へと送り出す。
【００５２】
本実施形態の画像形成装置１００は、高速画像形成処理を行うため、連続して搬送されるシート間の間隔が狭く（例えば、５０ｍｍ程度の間隔に狭く）なっている。
また、本実施形態の画像形成装置１００は、高速画像形成処理を目的としているため、各給紙トレイ５１には、定型サイズのシートを５００〜１５００枚収納可能な容積を確保している。さらに、画像形成装置１００の側面には、複数種のシートを多量に収納可能な大容量給紙カセット（ＬＣＣ）５２、及び主として不定型サイズのシートを供給するための手差しトレイ５３を設けている。
【００５３】
排紙トレイ４７は、手差しトレイ５３とは反対側の側面に配置されている。この排紙トレイ４７に代えて、排紙シートの後処理装置（ステープル、パンチ処理等々）や、複数段の排紙トレイをオプションとして配置することも可能な構成となっている。
【００５４】
次に、本実施形態に係る特徴的な原稿読取り装置１０１について図面を参照して詳細に説明する。
図３の（ａ）は本実施形態に係る画像形成装置に搭載された原稿読取り装置を構成するクリーニング機構の構成を示す部分詳細図、（ｂ）は前記クリーニング機構の切換動作を示す部分説明図である。
【００５５】
原稿読取り装置１０１は、図２に示すように、主に原稿搬送部１０１ａと画像読取部１０２とにより構成され、画像読取部１０２を画像形成装置１００の上部に配置し、さらに、原稿搬送部１０１ａを画像読取部１０２の上方に設けられたプラテンガラス１０２ｂの上面を開閉自在に設けられている。
【００５６】
原稿搬送部１０１ａは、原稿トレイ１１からコンタクトガラス１０２ａ１を経由して排紙トレイ１２に至る間には、ピックアップローラ６４、給送ローラ６５、サバキローラ６６及びローラＲ１〜Ｒ７を備えた略Ｃ字状を呈する原稿搬送路Ｈ１が形成されている。
【００５７】
原稿トレイ１１には、原稿有無検知センサＳＮ１が設けられ、原稿搬送路Ｈ１内への導入側及び原稿搬送路Ｈ１内には、原稿検知センサＳＮ２〜４が設けられている。
【００５８】
ローラＲ１，Ｒ２，Ｒ３，Ｒ５，及びＲ６は、原稿搬送路Ｈ１内において原稿を所定速度で搬送するための搬送ローラである。ローラＲ７は、画像情報の読取処理を完了した原稿を排紙トレイ１２に排出する排出ローラである。
【００５９】
ローラＲ４は、原稿読取り位置Ｓにおける画像情報の読取タイミングに同期して回転を開始するレジストローラである。読取タイミングに先立って原稿トレイ１１から搬送された原稿は、その前端部を停止中のレジストローラＲ４に当接させて斜行を矯正された後、回転を開始したレジストローラＲ４によって所定の読取タイミングで原稿読取り位置Ｓに搬送される。
【００６０】
原稿搬送路Ｈ１には、レジストローラＲ４よりも原稿搬送方向下流側で画像読取部１０２のコンタクトガラス１０２ａ１に対向する原稿読取り位置Ｓ付近には、コンタクトガラス１０２ａ１の上面の汚れを除去するクリーニング機構１１０が構成されている。
【００６１】
クリーニング機構１１０は、図３（ａ），（ｂ）に示すように、コンタクトガラス１０２ａ１に対向する位置にプラテンローラ（コンタクトガラス側搬送ローラ）１１１とクリーニングローラ（クリーニング部材）１１２とを備え、さらに、プラテンローラ１１１とクリーニングローラ１１２のうちの何れか一方を選択的に駆動するプラテン部モータ（駆動手段）１２０（図４を参照）と、プラテンローラ１１１とクリーニングローラ１１２のうちの何れか一方にプラテン部モータ１２０からの駆動力を伝達するよう切換える切換手段１３０と、プラテン部モータ１２０及び切換手段１３０の動作制御を行う制御手段１４０（図４を参照）を備えている。
【００６２】
プラテンローラ１１１は、レジストローラＲ４よりも原稿搬送方向下流側に配置され、クリーニングローラ１１２は、プラテンローラ１１１よりもさらに原稿搬送方向下流側で原稿読取り位置Ｓに対向する位置に配置されている。このクリーニングローラ１１２は、ブラシ部材を用いたローラ体により構成されている。尚、このクリーニングローラ１１２は、発泡部材を用いたローラ体としても良い。
【００６３】
切換手段１３０は、プラテンローラ１１１とクリーニングローラ１１２とを回転可能に支持する支持アーム（支持手段）１３１と、支持アーム１３１の一端部に連結して該支持アーム１３１の姿勢を変更するソレノイド（姿勢変更手段）１３２とを備えている。
【００６４】
支持アーム１３１は、その両端部１３１ａ，１３１ｂでそれぞれプラテンローラ１１１とクリーニングローラ１１２とを回転可能に支持するとともに、支軸１３１ｃによって装置フレーム（図示省略）に対して支持アーム１３１の長手方向略中央部を中心に回動可能に軸支されている。また、クリーニングローラ１１２が支持される端部１３１ｂには、ソレノイド１３２のプランジャ１３２ｂに連結される連結体１３３が係合されている。
【００６５】
ソレノイド１３２は、励磁状態でプランジャ１３２ｂを本体１３２ａ側に引き込むように構成され、非励磁状態の場合は、そのプランジャ１３２ｂの先端部に連結された連結体１３３と本体１３２ａとの間に配置された圧縮ばね１３４によって、プランジャ１３２ｂが本体１３２ａからコンタクトガラス１０２ａ１に向かって突出するように構成されている。
【００６６】
すなわち、ソレノイド１３２は、励磁時には、図３（ｂ）に示すように、支持アーム１３１を反時計回り方向（矢印Ｌ方向）に回転させてプラテンローラ１１１を原稿搬送路、つまりコンタクトガラス１０２ａ１に近接または当接させて原稿を搬送可能な状態とし、非励磁時には、図３（ａ）に示すように、圧縮ばね１３４のばね力によって支持アーム１３１を時計回り方向（矢印Ｒ方向）に回動させてクリーニングローラ１１２をコンタクトガラス１０２ａ１に当接するように構成されている。
【００６７】
プラテンローラ１１１とクリーニングローラ１１２の軸方向に沿った同一側の一端部には、それぞれのローラ軸と同軸上に伝達ギア１１１ａ，１１２ａが設けられている。
伝達ギア１１１ａ，１１２ａは、それぞれプラテンローラ１１１，クリーニングローラ１１２と一体的に設けられている。
【００６８】
また、伝達ギア１１１ａ，１１２ａの間には、プラテン部モータ１２０の回転により駆動する駆動ギア１２１が配置されている。駆動ギア１２１は、図３（ａ）に示すように、支持アーム１３１が支軸１３１ｃを支点として時計回り方向（矢印Ｒ方向）に所定量回動した時に伝達ギア１１２ａと噛合い、図３（ｂ）に示すように、支持アーム１３１が支軸１３１ｃを支点として反時計回り方向（矢印Ｌ方向）に所定量回動した時に伝達ギア１１１ａと噛合うように配置されている。
【００６９】
すなわち、駆動ギア１２１は、支持アーム１３１が時計回り方向または反時計回り方向に回動することにより伝達ギア１１１ａまたは伝達ギア１１２ａと噛合って、プラテンローラ１１１またはクリーニングローラ１１２を選択的に駆動するようになっている。
【００７０】
本実施形態では、上述したソレノイド１３２のプランジャ１３２ｂを出没させる動作によって支持アーム１３１が時計回り方向または反時計回り方向に回動するようになっており、その支持アーム１３１の姿勢が変わることによりプラテンローラ１１１側の伝達ギア１１１ａまたはクリーニングローラ１１２側の伝達ギア１１２ａが駆動ギア１２１と噛合うことで、選択的にプラテンローラ１１１またはクリーニングローラ１１２を駆動するようにされている。
【００７１】
このようにして、プラテンローラ１１１が回転することにより原稿が搬送され、原稿がコンタクトガラス１０２ａ１上を通過する時に、画像読取部１０２に備えられたＣＣＤ１８によって原稿表面の画像情報の読取が行われる。一方、クリーニングローラ１１２が回転することによりコンタクトガラス１０２ａ１の上面のクリーニングが行われる。
【００７２】
クリーニングローラ１１２よりも原稿搬送方向下流側には、クリーニングローラ１１２に付着した紙粉等の汚れを回収する回収容器（回収手段）１３５が設けられている。回収容器１３５には、クリーニングローラ１１２の表面に当接してクリーニングローラ１１２に付着した汚れを掻き落すブレード１３６が設けられている。
【００７３】
回収容器１３５は、図３（ａ）に示すように、クリーニングローラ１１２がコンタクトガラス１０２ａ１をクリーニング可能な状態に配置された時に、ブレード１３６がクリーニングローラ１１２の表面と当接するように配置されている。ブレード１３６により回収された汚れは、クリーニングローラ１１２に対向して開口した開口部１３５ａから回収容器１３５内に回収される。
【００７４】
次に、本実施形態の原稿読取り装置１０１の電気的構成についてブロック図参照して説明する。図４は本実施形態に係る原稿読取り装置の電気的構成を示すブロック図である。
【００７５】
原稿読取り装置１０１は、図４に示すように、原稿走査駆動部２０１を制御手段１４０により制御して原稿の読取りを行うようにされている。原稿走査駆動部２０１は、ランプユニットすなわち第１走査ユニット１５及び２・３ミラー１６ａを備える第２走査ユニット１６等の走査光学系の機構を駆動するための駆動部である。ランプ１５ａは、原稿を照射するランプである。
【００７６】
原稿検知センサＳＮ２〜ＳＮ４は、原稿搬送路Ｈ１内の原稿の位置を検知するためのセンサである。原稿有無検知センサＳＮ１は、原稿トレイ１１上の原稿の有無を検知するためのセンサである。
【００７７】
プラテン部モータ１２０は、駆動ギア１２１を駆動してプラテンローラ１１１またはクリーニングローラ１１２を回転させる駆動モータである。
【００７８】
原稿搬送モータ２０２は、原稿を搬送するための搬送ローラＲ１〜Ｒ７を駆動する駆動モータである。
【００７９】
ソレノイド１３２は、プランジャ１３２ｂを出没させることにより支持アーム１３１を動作させて、支持アーム１３１の傾斜角度、すなわち設置状態を変更する駆動手段（姿勢変更手段）である。
【００８０】
ＣＣＤ１８は、原稿を読み取り、画像データを画像処理部２０３でガンマ変換、色補正などの画像処理を施し、インターフェース（Ｉ／Ｆ）２０４を介して外部のＰＣやプリンタ部に画像データを転送するものである。
【００８１】
次に、本実施形態に係る原稿読取り装置１０１による原稿読取り動作と作用について説明する。
【００８２】
原稿の画像情報を読み取る時には、図２に示すように、原稿トレイ１１に載置された原稿の最上面に当接したピックアップローラ６４の回転によって繰り出された原稿が、給送ローラ６５の回転によって原稿搬送路Ｈ１内に導かれる。このとき、給送ローラ６５と同方向に回転するサバキローラ６６により、最上部に位置する原稿以外の原稿が原稿トレイ１１内に戻され、最上部に位置する１枚の原稿のみが原稿搬送路Ｈ１内に送り出される。
【００８３】
原稿トレイ１１から送り出された原稿は、搬送ローラＲ１〜Ｒ３の回転によって原稿搬送路Ｈ１内を搬送され、レジストローラＲ４の回転によって所定のタイミングでコンタクトガラス１０２ａ１内の原稿読取り位置Ｓに向かって搬送される。
【００８４】
この時、プラテンローラ１１１は、原稿搬送が可能な状態となっている。
すなわち、原稿を搬送する時は、図３（ｂ）に示すように、ソレノイド１３２がオン状態（通電状態）で、プランジャ１３２ｂが本体１３２ａ側に引き込まれて支持アーム１３１を反時計回り方向に回転させることにより、プラテンローラ１１１がコンタクトガラス１０２ａ１に対して所定の位置（近接または当接する位置）に配置されて原稿を搬送可能な状態となる。
【００８５】
プラテンローラ１１１により搬送された原稿は、コンタクトガラス１０２ａ１上に搬送され、原稿読取り位置Ｓを通過する間に、原稿読取り位置Ｓの下方の画像読取部１０２のＣＣＤ１８によって表面の画像情報が読み取られる。表面の画像情報が読み取られた原稿は、搬送ローラＲ５，Ｒ６及び排出ローラＲ７の回転により排紙トレイ１２に排出される。
【００８６】
コンタクトガラス１０２ａ１のクリーニングは、原稿がコンタクトガラス１０２ａ１上を通過しない時に、クリーニングローラ１１２によりクリーニングされる。
【００８７】
クリーニングローラ１１２は、図３（ａ）に示すように、ソレノイド１３２がオフ状態（非通電状態）で、支持アーム１３１を時計回り方向に回転させることにより、コンタクトガラス１０２ａ１と当接してコンタクトガラス１０２ａ１の原稿読み取り領域を清掃可能な状態となる。
【００８８】
ソレノイド１３２がオフ状態の時は、圧縮ばね１３４のばね力（弾性力）によりプランジャ１３２ｂがコンタクトガラス１０２ａ１側に向かい突出することで、クリーニングローラ１１２がコンタクトガラス１０２ａ１の表面に押しつけられるとともに、クリーニングローラ１１２端部の伝達ギア１１２ａと駆動ギア１２１が噛合う状態となる。
【００８９】
この状態で駆動ギア１２１が時計回り方向に回転することにより伝達ギア１１２ａが反時計回り方向に回転し、これにより、クリーニングローラ１１２が反時計回り方向に回動し、すなわち、原稿搬送方向下流に紙粉等の汚れを掃き出すように回転することでコンタクトガラス１０２ａ１の表面に付着した汚れを除去することができる。
【００９０】
次に、本実施形態に係る原稿読取り装置１０１における制御手段１４０による動作フローをフローチャートに基づき説明する。
図５は本実施形態に係る原稿読取り装置の動作フローを示すフローチャートである。
【００９１】
原稿読取り装置１０１により原稿の読取りを行う場合は、図５に示すように、図示しないスタートボタンによる原稿読み取りの開始指示を待機した状態から、原稿読み取り開始が指示されると（ステップＳ１）、ソレノイド１３２はオフ状態（非通電状態）のままで（ステップＳ２）、プラテン部モータ１２０を駆動する（ステップＳ３）。
【００９２】
この時、ソレノイド１３２が励磁されていないのでプランジャ１３２ｂが圧縮ばね１３４のばね力によりコンタクトガラス１０２ａ１側に向かい突出した状態となるため、図３（ａ）に示すように、支持アーム１３１は支軸１３１ｃを支点として時計回り方向に回動して、クリーニングローラ１１２がコンタクトガラス１０２ａ１と当接した状態となる。これにより、駆動ギア１２１がクリーニングローラ１１２の伝達ギア１１２ａと噛合う状態となるため、クリーニングローラ１１２が回転してコンタクトガラス１０２ａ１をクリーニングが実行される（ステップＳ４）。
【００９３】
クリーニングローラ１１２によりコンタクトガラス１０２ａ１の上面が一定時間清掃動作されると（ステップＳ５）、ソレノイド１３２がオンされる（ステップＳ６）。
【００９４】
この時、ソレノイド１３２のプランジャ１３２ｂが圧縮ばね１３４のばね力を抗して本体１３２ａ側に引き込まれるため、図３（ｂ）に示すように、支持アーム１３１は支軸１３１ｃを支点として反時計回り方向に回動して、クリーニングローラ１１２がコンタクトガラス１０２ａ１から離間するとともに、プラテンローラ１１１がコンタクトガラス１０２ａ１と当接した状態となる。これにより、クリーニングローラ１１２の伝達ギア１１２ａが駆動ギア１２１から離間してプラテンローラ１１１の伝達ギア１１１ａが駆動ギア１２１と噛合う状態となるため、プラテンローラ１１１が反時計回り方向に回転することによりに原稿の搬送が可能な状態となる。すなわち、クリーニングローラ１１２からプラテンローラ１１１に切り替わる。
【００９５】
そして、原稿搬送モータ２０２が駆動して原稿トレイ１１から原稿が1枚搬送される（ステップＳ７）。原稿がコンタクトガラス１０２ａ１上に搬送される前に、すなわち、原稿がコンタクトガラス１０２ａ１に搬送されていない状態で、ＣＣＤ１８による出力（反射光量、輝度）が所定値以下の画素が有るか否かが判定される（ステップＳ８）。
【００９６】
ステップＳ８において、ＣＣＤ１８による出力（反射光量、輝度）が所定値以下の画素が有ると判定された場合、すなわち、コンタクトガラス１０２ａ１が汚れていると判定された場合は、ソレノイド１３２がオフ状態にされ（ステップＳ９）、プラテンローラ１１１からクリーニングローラ１１２に切り替えて、クリーニングローラ１１２によるコンタクトガラス１０２ａ１のクリーニングが実行される（ステップＳ１０）。そして、一定時間クリーニングが実行されると（ステップＳ１１）、ステップＳ１２に進む。
【００９７】
一方、ステップＳ８において、ＣＣＤ１８による出力（反射光量、輝度）が所定値以下の画素が無いと判定された場合、すなわち、コンタクトガラス１０２ａ１が汚れていないと判定された場合は、ステップＳ１２に進む。
【００９８】
すなわち、本実施形態では、原稿搬送の途中では、読み取り窓１０２ａのコンタクトガラス１０２ａ１が汚れているときだけ清掃するように制御しているので、原稿搬送処理を遅延させることを最小限にできる。
【００９９】
ステップＳ１２において、原稿有無検知センサＳＮ１により原稿トレイ１１に原稿が有るか否かが検出され、原稿が有ると判定された場合は、ステップＳ６に移行してソレノイド１３２をオンし、ステップＳ７に進み再度原稿搬送を実施する。
【０１００】
一方、ステップＳ１２において、原稿が無いと判定された場合は、ソレノイド１３２をオフのまま（ステップＳ１３）、クリーニングローラ１１２によるコンタクトガラス１０２ａ１のクリーニングが実行される（ステップＳ１４）。そして、一定時間クリーニングが実行されると（ステップＳ１１）、ステップＳ１に移行して次回の原稿読み取りの開始指示を待機する。
【０１０１】
このようにして、制御手段１４０によりプラテンローラ１１１及びクリーニングローラ１１２の動作制御を行うことにより、原稿読取り及び読取り窓１０２ａのコンタクトガラス１０２ａ１のクリーニングを行うことができる。
【０１０２】
なお、変形例として、上述した工程において、ステップＳ１３からステップＳ１５を省略して、ステップＳ１２において、原稿が無いと判定された場合は、そのままステップＳ１に移行するようにしてもよい。
【０１０３】
以上のように構成したので、本実施形態によれば、原稿読取り装置１０１を構成する原稿搬送部１０１ａ内部にコンタクトガラス１０２ａ１の上面の汚れを除去するクリーニング機構１１０を備え、そのクリーニング機構１１０の構成として、プラテンローラ１１１とクリーニングローラ１１２とを備え、プラテン部モータ１２０と切換手段１３０によりプラテンローラ１１１とクリーニングローラ１１２のうちの何れか一方を選択的にコンタクトガラス１０２ａ１に近接または当接させるとともに、駆動するようにしたので、コンパクトな構成で装置を大型化させることなく、原稿の搬送を確実に行うことができるとともに、コンタクトガラス１０２ａ１に付着した汚れを簡単に除去することができる。
【０１０４】
また、本実施形態によれば、回収容器１３５を設けたことで、クリーニングローラ１１２に回収された汚れを回収容器１３５に回収するようにしたので、クリーニングローラ１１２により除去された汚れが再びコンタクトガラス１０２ａ１へ移ることを抑制でき、また、クリーニングローラ１１２に汚れが蓄積されないようにできるので、クリーニングローラ１１２によるクリーニング効果を長期に渡り維持できる。
【０１０５】
尚、本発明は、クリーニング機構の構成として上述した実施形態に係るクリーニング機構１１０の構成に限定されるものではい。
以下に、上述した実施形態に係るクリーニング機構１１０のその他の実施例を示す。
図６の（ａ）は上述した実施形態に係るクリーニング機構のその他の実施例を示す部分詳細図、（ｂ）は前記クリーニング機構の切換動作を示す部分説明図である。
尚、本実施例の説明において、上述した実施形態の構成と同一の構成については同一の符号を付することで説明を省略する。
【０１０６】
本実施例に係るクリーニング機構２１０は、図６（ａ），（ｂ）に示すように、コンタクトガラス１０２ａ１に対向する位置にプラテンローラ１１１とクリーニングローラ１１２とを備え、さらに、プラテンローラ１１１とクリーニングローラ１１２のうちの何れか一方を選択的に駆動するプラテン部モータ１２０（図４を参照）と、プラテンローラ１１１とクリーニングローラ１１２のうちの何れか一方にプラテン部モータ１２０からの駆動力を伝達するよう切換える切換手段２３０と、プラテン部モータ１２０及び切換手段２３０の動作制御を行う制御手段１４０を備えている。
【０１０７】
プラテンローラ１１１は、レジストローラＲ４よりも原稿搬送方向下流側に配置され、クリーニングローラ１１２は、プラテンローラ１１１よりもさらに原稿搬送方向下流側で原稿読取り位置Ｓに対向する位置に配置されている。本実施例では、これらプラテンローラ１１１とクリーニングローラ１１２とが互いに接触した状態で配置されていることを特徴としている。
【０１０８】
切換手段２３０は、プラテンローラ１１１とクリーニングローラ１１２とを回転可能に支持する支持アーム２３１と、支持アーム２３１の一端部に連結して該支持アーム２３１の姿勢を変更するソレノイド（姿勢変更手段）１３２とを備えている。
【０１０９】
支持アーム２３１は、その両端部２３１ａ，２３１ｂでそれぞれプラテンローラ１１１とクリーニングローラ１１２と互いに接触させた状態で回転可能に支持するとともに、支軸２３１ｃによって装置フレーム（図示省略）に対して支持アーム２３１の長手方向略中央部を中心に回動可能に軸支されている。また、クリーニングローラ１１２が支持される端部２３１ｂには、ソレノイド１３２のプランジャ１３２ｂに連結される連結体１３３が係合されている。
【０１１０】
プラテンローラ１１１とクリーニングローラ１１２の軸方向に沿った同一側の一端部には、それぞれのローラ軸と同軸上に伝達ギア１１１ａ，１１２ａが設けられている。
伝達ギア１１１ａ，１１２ａは、それぞれプラテンローラ１１１，クリーニングローラ１１２と一体的に設けられている。
【０１１１】
また、伝達ギア１１１ａ，１１２ａの間には、プラテン部モータ１２０の回転により駆動する駆動ギア１２１が配置されている。駆動ギア１２１は、図６（ａ）に示すように、支持アーム２３１が支軸２３１ｃを支点として時計回り方向（矢印Ｒ方向）に所定量回動した時に伝達ギア１１２ａと噛合い、図６（ｂ）に示すように、支持アーム２３１が支軸２３１ｃを支点として反時計回り方向（矢印Ｌ方向）に所定量回動した時に伝達ギア１１１ａと噛合うように配置されている。
【０１１２】
すなわち、駆動ギア１２１は、支持アーム２３１が時計回り方向または反時計回り方向に回動することにより伝達ギア１１１ａまたは伝達ギア１１２ａと噛合って、プラテンローラ１１１またはクリーニングローラ１１２を選択的に駆動するようになっている。
【０１１３】
本実施例では、プラテンローラ１１１またはクリーニングローラ１１２のうちの何れのローラが回転した場合であっても、プラテンローラ１１１とクリーニングローラ１１２とは互いに接触した状態で回転するように構成されている。
【０１１４】
以上のように構成したので、本実施例によれば、クリーニングローラ１１２が常にプラテンローラ１１１に接触するよう構成したので、プラテンローラ１１１に付着した汚れを取り除くことができ、これにより、プラテンローラ１１１に付着した汚れが要因となる原稿の裏面を汚す不具合を防止できる。
【０１１５】
以上、本発明の好適な実施形態及びその他の実施例について説明したが、本発明は上述した例に限定されないことは言うまでもなく、当業者であれば、特許請求の範囲に記載された範疇内において、各種の変更例または修正例に想到し得ることは明らかであり、それらについても当然に本発明の技術的範囲に属するものと了解される。
【０１１６】
例えば、上述した実施形態では、モノクロ用の現像装置を設置する画像形成装置に本発明が適用されているが、カラー用の画像形成装置に本発明を適用することも可能である。また、原稿を一枚ずつ供給する機構を有する原稿読取り装置であれば、本発明を適用するように展開することは容易に可能である。
【図面の簡単な説明】
【０１１７】
【図１】本発明に係る原稿読取り装置が採用された画像形成装置の全体の構成を示す説明図である。
【図２】前記原稿読取り装置の全体の構成を示す説明図である。
【図３】（ａ）は前記原稿読取り装置を構成するクリーニング機構の構成を示す部分詳細図、（ｂ）は前記クリーニング機構の切換動作を示す部分説明図である。
【図４】前記原稿読取り装置の電気的構成を示すブロック図である。
【図５】前記原稿読取り装置の動作フローを示すフローチャートである。
【図６】（ａ）は上述した実施形態に係るクリーニング機構のその他の実施例を示す部分詳細図、（ｂ）は前記クリーニング機構の切換動作を示す部分説明図である。
【符号の説明】
【０１１８】
１１  原稿トレイ
１００  画像形成装置
１０１  画像読取り装置
１０１ａ  原稿搬送部
１０２  画像読取部
１０２ａ１  コンタクトガラス
１１０，２１０  クリーニング機構
１１１  プラテンローラ（コンタクトガラス側搬送ローラ）
１１１ａ，１１２ａ  伝達ギア
１１２  クリーニングローラ（クリーニング部材）
１２０  プラテン部モータ（駆動手段）
１２１  駆動ギア（駆動手段）
１３０，２３０  切換手段
１３１，２３１  支持アーム（支持手段）
１３２  ソレノイド（姿勢変更手段）
１３４  圧縮ばね
１３５  回収容器（回収手段）
１３５ａ  開口部
１３６  ブレード
１４０  制御手段
２０１  原稿走査駆動部
２０２  原稿搬送モータ
２０３  画像処理部
Ｒ１，Ｒ２，Ｒ３，Ｒ５，Ｒ６  搬送ローラ
Ｒ４  レジストローラ（搬送ローラ）
Ｒ７  排出ローラ（搬送ローラ）
Ｓ  原稿読取り位置
ＳＮ１  原稿有無検知センサ
ＳＮ２，ＳＮ３，ＳＮ４  原稿検知センサ
【図１】
2009062125.tif 000003
【図２】
2009062125.tif 000004
【図３】
2009062125.tif 000005
【図４】
2009062125.tif 000006
【図５】
2009062125.tif 000007
【図６】
2009062125.tif 000008